(57)【要約】【課題】簡単な作業で、ディスプレイの表示領域に対して正確かつ円滑に貼り合せることができるディスプレイ用保護フィルムを提供する。【解決手段】剥離フィルム層１１２上の一部に、ディスプレイ１に対して剥離可能な状態で付着される付着部材１１４を固定する。付着部材１１４上には、付着部材１１４の表面１１４ａよりも突出した突出部１１５を設ける。突出部１１５をディスプレイ１に当接させた状態で、基材フィルム層１１１をディスプレイ１側に押圧することにより、付着部材１１４の表面１１４ａをディスプレイ１に接触させて付着させる。保護フィルム１０１の位置合わせの途中で、付着部材１１４の表面１１４ａがディスプレイ１に付着するのを突出部１１５により阻止することができるとともに、剥離フィルム層１１２を剥離する作業と同時に付着部材１１４を除去することができる。【選択図】  図３
2015203090.tif 000002
【特許請求の範囲】
【請求項１】
ディスプレイの表示領域を保護するためのディスプレイ用保護フィルムであって、
前記表示領域を覆う基材フィルム層と、
前記基材フィルム層の一方の面に形成された粘着層と、
前記粘着層上に設けられ、前記粘着層に対して剥離可能な剥離フィルム層と、
前記剥離フィルム層上の一部に固定され、前記ディスプレイに対して剥離可能な状態で付着される付着部材と、
前記付着部材上又は前記剥離フィルム層上に設けられ、前記付着部材の表面よりも突出した突出部とを備え、
前記突出部を前記ディスプレイに当接させた状態で、前記基材フィルム層を前記ディスプレイ側に押圧することにより、前記付着部材の表面を前記ディスプレイに接触させて付着させることができることを特徴とするディスプレイ用保護フィルム。
【請求項２】
前記付着部材は、弾性変形可能な吸着シートにより形成されており、前記ディスプレイに対して剥離可能な状態で吸着されることを特徴とする請求項１に記載のディスプレイ用保護フィルム。
【請求項３】
前記基材フィルム層は、長方形状に形成されており、
前記付着部材は、前記基材フィルム層の長手方向の一端部に対応する位置に、当該基材フィルム層の短手方向に対して平行に延びるように設けられていることを特徴とする請求項１又は２に記載のディスプレイ用保護フィルム。
【発明の詳細な説明】
【技術分野】
【０００１】
本発明は、ディスプレイの表示領域を保護するためのディスプレイ用保護フィルムに関するものである。
【背景技術】
【０００２】
携帯電話機、ゲーム機又はタブレット端末などの各種機器のディスプレイには、少なくとも表示領域を保護するために保護フィルムが貼り合せられる場合がある。この種の保護フィルムの中には、単にディスプレイの表示領域を保護するためだけでなく、光反射防止機能などの他の機能を有するものもある。
【０００３】
保護フィルムは、ディスプレイの表示領域を覆って保護する基材フィルム層に、粘着層を介して他のフィルム層を積層することにより構成されている。具体的には、基材フィルム層の一方の面に粘着層を介して剥離フィルム層が積層されており、当該剥離フィルム層を粘着層から剥離した後、粘着層をディスプレイの表示領域に貼り合せることができる。基材フィルム層の他方の面には、必要に応じて、各種機能に対応するフィルム層が積層される。
【０００４】
一般的な保護フィルムでは、１枚の剥離フィルム層が粘着層全体を覆っており、当該剥離フィルム層を剥離して粘着層全体を露出させた後、ディスプレイの表示領域に貼り合せられる。このとき、ユーザは、表示領域に対して保護フィルムを位置合わせしながら貼り合せることとなり、通常、１回で正確な位置に貼り合せることは困難である。
【０００５】
そのため、多くのユーザは、表示領域に対して保護フィルムを途中まで貼り合せた後、表示領域から一旦剥離させ、再度位置合わせをしながら貼り合せるといった作業を繰り返すこととなる。この場合、粘着層の粘着力が低下したり、粘着層と表示領域との間に埃や気泡が入り込んだりするなどの問題が生じるおそれがある。そこで、近年では、保護フィルムを１回で正確な位置に貼り合せることが容易になるような構成が提案されている（例えば、下記特許文献１参照）。
【０００６】
特許文献１には、保護シート本体の一端側を仮止めするための仮止片を、保護対象面の周辺領域に貼り付けることにより、貼付作業の足場とするような構成が開示されている（請求項１参照）。仮止片の接着面には仮止片用剥離シートが取り付けられており、当該仮止片用剥離シートを剥離した後、保護シート本体をディスプレイの表示画面に合わせて位置取りし、位置があったところで仮止片を表示画面の外枠などに貼り付けて固定することができる（段落［００４７］参照）。
【先行技術文献】
【特許文献】
【０００７】
【特許文献１】特許第４８８７４５１号公報
【発明の概要】
【発明が解決しようとする課題】
【０００８】
しかしながら、上記特許文献１のような構成では、仮止片用剥離シートを剥離した状態で保護シート本体をディスプレイの表示画面に位置合わせするため、位置合わせの途中で、予期せぬ部分に仮止片の接着面が付着してしまうおそれがある。この場合、位置合わせを円滑に行うことができず、貼付作業に時間がかかってしまうという問題がある。
【０００９】
また、上記特許文献１のような構成では、保護シート本体をディスプレイの表示画面に貼り付けた後、仮止片を剥離して除去する作業を行う必要がある（段落［００４８］参照）。そのため、貼付作業の工程数が増加し、この点も貼付作業に時間がかかる原因となるおそれがある。
【００１０】
本発明は、上記実情に鑑みてなされたものであり、簡単な作業で、ディスプレイの表示領域に対して正確かつ円滑に貼り合せることができるディスプレイ用保護フィルムを提供することを目的とする。
【課題を解決するための手段】
【００１１】
本発明に係るディスプレイ用保護フィルムは、ディスプレイの表示領域を保護するためのディスプレイ用保護フィルムであって、基材フィルム層と、粘着層と、剥離フィルム層と、付着部材と、突出部とを備える。前記基材フィルム層は、前記表示領域を覆う。前記粘着層は、前記基材フィルム層の一方の面に形成されている。前記剥離フィルム層は、前記粘着層上に設けられ、前記粘着層に対して剥離可能である。前記付着部材は、前記剥離フィルム層上の一部に固定され、前記ディスプレイに対して剥離可能な状態で付着される。前記突出部は、前記付着部材上又は前記剥離フィルム層上に設けられ、前記付着部材の表面よりも突出している。前記突出部を前記ディスプレイに当接させた状態で、前記基材フィルム層を前記ディスプレイ側に押圧することにより、前記付着部材の表面を前記ディスプレイに接触させて付着させることができる。
【００１２】
このような構成によれば、ディスプレイの表示領域に対して保護フィルムを位置合わせした上で、基材フィルム層を押圧することにより付着部材の表面をディスプレイに付着させて位置決めし、その後に剥離フィルム層を剥離して粘着層を表示領域に貼り合せることができる。これにより、保護フィルムを簡単な作業で正確に位置決めすることができるとともに、突出部が付着部材の表面よりも突出しているため、保護フィルムの位置合わせの途中で、付着部材の表面がディスプレイに付着するのを突出部により阻止することができる。
【００１３】
このようにして保護フィルムを位置決めした後、剥離フィルム層における付着部材が設けられていない領域を部分的に剥離し、露出した粘着層を表示領域に貼り合せる。その後、剥離フィルム層の残りの部分を付着部材とともに剥離し、粘着層の残りの部分を露出させて表示領域に貼り合せることにより、粘着層全体を表示領域に貼り合せる。このとき、剥離フィルム層を剥離する作業と同時に付着部材を除去することができる。したがって、簡単な作業で、ディスプレイの表示領域に対して正確かつ円滑に保護フィルムを貼り合せることができる。
【００１４】
前記付着部材は、弾性変形可能な吸着シートにより形成されており、前記ディスプレイに対して剥離可能な状態で吸着されてもよい。
【００１５】
このような構成によれば、突出部をディスプレイに当接させた状態で、基材フィルム層をディスプレイ側に押圧することにより、吸着シートからなる付着部材を弾性変形させて、その表面をディスプレイに吸着させることができる。吸着シートを用いることにより、適度な吸着力で保護フィルムを位置決めすることができるとともに、ディスプレイから剥離する際に容易に剥離することができ、ディスプレイに粘着剤などが残ることもない。
【００１６】
前記基材フィルム層は、長方形状に形成されていてもよい。この場合、前記付着部材は、前記基材フィルム層の長手方向の一端部に対応する位置に、当該基材フィルム層の短手方向に対して平行に延びるように設けられていてもよい。
【００１７】
このような構成によれば、基材フィルム層の長手方向の一端部に対応する位置で、付着部材により保護フィルムを位置決めすることができる。これにより、基材フィルム層の長手方向の他端部側をめくり上げて、剥離フィルム層の一部を容易に剥離し、露出した粘着層を表示領域に貼り合せることができる。また、その後に剥離フィルム層の残りの部分を付着部材とともに剥離し、粘着層の残りの部分を表示領域に貼り合せることができる。
【００１８】
特に、付着部材が基材フィルム層の短手方向に対して平行に延びるように設けられているため、付着部材の表面がディスプレイに付着した状態では、一般的に生じやすい短手方向への保護フィルムのずれを効果的に防止することができる。したがって、ディスプレイの表示領域に対してより正確に保護フィルムを貼り合せることができる。
【発明の効果】
【００１９】
本発明によれば、保護フィルムの位置合わせの途中で、付着部材の表面がディスプレイに付着するのを突出部により阻止することができるとともに、剥離フィルム層を剥離する作業と同時に付着部材を除去することができるため、簡単な作業で、ディスプレイの表示領域に対して正確かつ円滑に保護フィルムを貼り合せることができる。
【図面の簡単な説明】
【００２０】
【図１】本発明の一実施形態に係る保護フィルムの構成例を示した平面図である。
【図２】図１における保護フィルムのＡ−Ａ断面図であり、保護フィルムの一部のみを示している。
【図３】図１の保護フィルムをディスプレイの表示領域に貼り合せる際の態様について説明するための概略断面図である。
【図４】図１の保護フィルムをディスプレイの表示領域に貼り合せる際の態様について説明するための概略断面図である。
【図５】突出部の変形例について説明するための平面図である。
【発明を実施するための形態】
【００２１】
以下では、本発明に係る保護フィルムの実施形態について詳細に説明する。なお、以下の実施形態において図示された保護フィルムの各層は、説明を分かりやすくするために、実際の厚みよりも大きい厚みで示されている。
【００２２】
図１は、本発明の一実施形態に係る保護フィルム１０１の構成例を示した平面図である。また、図２は、図１における保護フィルム１０１のＡ−Ａ断面図であり、保護フィルム１０１の一部のみを示している。本実施形態に係る保護フィルム１０１は、携帯電話機、ゲーム機又はタブレット端末などの各種機器のディスプレイに貼り合せられ、当該ディスプレイの少なくとも表示領域を保護するためのディスプレイ用保護フィルムである。
【００２３】
保護フィルム１０１は、基材フィルム層１１１と剥離フィルム層１１２とが、粘着層１１３を介して積層されることにより構成されている。すなわち、基材フィルム層１１１の一方の面に粘着層１１３が形成され、粘着層１１３上に剥離フィルム層１１２が設けられている。基材フィルム層１１１の他方の面には、例えば光反射防止機能などの各種機能に応じた任意のフィルム層が積層されていてもよい。また、基材フィルム層１１１自体が、このような各種機能を有していてもよい。
【００２４】
基材フィルム層１１１は、ディスプレイの表示領域を覆うことができる形状を有している。より具体的には、基材フィルム層１１１は、ディスプレイの表示領域と同一、又は、それよりも大きい形状を有している。この例では、基材フィルム層１１１が長方形状に形成されているが、ディスプレイの表示領域の形状に応じて、正方形状などの他の矩形状に形成されていてもよいし、矩形状に限らず円形や楕円形などの他の各種形状に形成されていてもよい。
【００２５】
粘着層１１３は、基材フィルム層１１１の一方の面の全体に形成されている。剥離フィルム層１１２は、基材フィルム層１１１よりも大きい形状を有しており、基材フィルム層１１１の周縁よりも外側に張り出した状態で積層されている。剥離フィルム層１１２は、例えば透明フィルムにより形成されており、図１の状態では、透明な剥離フィルム層１１２を通して裏側の基材フィルム層１１１が視認可能となっている。ただし、剥離フィルム層１１２は、基材フィルム層１１１と同一の形状であってもよく、透明でなくてもよい。
【００２６】
剥離フィルム層１１２は、粘着層１１３に対して剥離可能となっている。したがって、剥離フィルム層１１２を剥離させて粘着層１１３を露出させ、当該粘着層１１３をディスプレイの表示領域に貼り合せることにより、表示領域を基材フィルム層１１１で覆って保護することができる。
【００２７】
本実施形態では、剥離フィルム層１１２上の一部に付着部材１１４が固定されている。付着部材１１４は、例えば所定の幅を有する帯状に形成されており、基材フィルム層１１１の長手方向Ｌ１の一端部に対応する位置に、基材フィルム層１１１の短手方向Ｌ２に対して平行に延びている。この例では、基材フィルム層１１１の短手方向Ｌ２の一端部から他端部まで、付着部材１１４が一直線上に延びている。
【００２８】
付着部材１１４は、例えば弾性変形可能な吸着シートにより形成されている。具体的には、１０〜１０００μｍ程度の厚みに形成されたシート状のウレタンフォームにより付着部材１１４が構成されている。付着部材１１４の幅（短辺の長さ）は、５ｍｍ程度が好ましい。この付着部材１１４は、ディスプレイの表面（平坦面）に対して押圧されることにより吸着される。
【００２９】
付着部材１１４は、ディスプレイの表面に吸着した状態では、当該表面に対して平行な方向に作用する力に強く、容易にずれることはないが、当該表面に対して垂直な方向に力を作用させれば、容易に剥離させることができる。このように、付着部材１１４は、ディスプレイに対して剥離可能な状態で付着させることができる。
【００３０】
付着部材１１４上には、突出部１１５が設けられている。この例では、付着部材１１４の１対の長辺に沿って、それぞれ細長い突出部１１５が一直線上に設けられることにより、基材フィルム層１１１の短手方向Ｌ２に対して平行に延びる１対の突出部１１５間に付着部材１１４の表面１１４ａが露出している。
【００３１】
突出部１１５は、例えばＰＥ（ポリエチレン）、ＰＥＴ（ポリエチレンテレフタレート）又はＰＰ（ポリプロピレン）などの樹脂や、紙などにより形成されたフィルム層からなり、付着部材１１４の表面１１４ａよりも突出している。突出部１１５の厚みは、例えば２５〜１００μｍ程度であり、この厚みが突出部１１５の表面１１５ａと付着部材１１４の表面１１４ａとの段差に一致している。
【００３２】
剥離フィルム層１１２における付着部材１１４側とは反対側には、例えば切込み１１６が形成されている。切込み１１６は、剥離フィルム層１１２の一端縁１１２ａから他端縁１１２ｂまで一直線上に延びており、これにより、剥離フィルム層１１２が２分割されている。この切込み１１６に沿って剥離フィルム層１１２を一端縁１１２ａ又は他端縁１１２ｂから剥離させれば、剥離フィルム層１１２の一部１１２ｃが除去され、この部分に対応する粘着層１１３が露出する。
【００３３】
図３及び図４は、図１の保護フィルム１０１をディスプレイ１の表示領域２に貼り合せる際の態様について説明するための概略断面図である。まず、図３（ａ）に示すように、付着部材１１４がディスプレイ１の表示領域２に対向するようにして保護フィルム１０１を移動させることにより、保護フィルム１０１の位置合わせを行う。
【００３４】
このとき、突出部１１５が付着部材１１４の表面１１４ａよりも突出しているため、付着部材１１４の表面１１４ａは表示領域２に付着せず、突出部１１５の表面１１５ａを表示領域２に摺接させながら、保護フィルム１０１を水平方向に移動させて位置合わせを行うことができる。このようにして位置合わせを行った上で、突出部１１５をディスプレイ１の表示領域２に当接させた状態のまま、基材フィルム層１１１をディスプレイ１側に押圧することにより、図３（ｂ）に示すように、付着部材１１４の表面１１４ａを表示領域２に接触させて付着させることができる。
【００３５】
このように、本実施形態では、ディスプレイ１の表示領域２に対して保護フィルム１０１を位置合わせした上で、基材フィルム層１１１を押圧することにより付着部材１１４の表面１１４ａをディスプレイ１に付着させて位置決めし、その後に剥離フィルム層１１２を剥離して粘着層１１３を表示領域２に貼り合せることができる。これにより、保護フィルム１０１を簡単な作業で正確に位置決めすることができるとともに、突出部１１５が付着部材１１４の表面１１４ａよりも突出しているため、保護フィルム１０１の位置合わせの途中で、付着部材１１４の表面１１４ａがディスプレイ１に付着するのを突出部１１５により阻止することができる。
【００３６】
このようにして、基材フィルム層１１１の長手方向Ｌ１の一端部に対応する位置で、付着部材１１４により保護フィルム１０１を位置決めした後、以下のような手順で表示領域２に対する保護フィルム１０１の貼付作業を行う。具体的には、図４（ａ）に示すように、基材フィルム層１１１の長手方向Ｌ１の他端部側（付着部材１１４側とは反対側）をめくり上げて、付着部材１１４が設けられていない領域の剥離フィルム層１１２の一部１１２ｃを剥離する。このようにして粘着層１１３の一部を露出させた後、図４（ｂ）に示すように、露出している粘着層１１３を表示領域２に貼り合せる。
【００３７】
その後、剥離フィルム層１１２における付着部材１１４側の端部をめくり上げることにより、付着部材１１４をディスプレイ１から剥離させる。そして、剥離フィルム層１１２の残りの部分を切込み１１６側から剥離させ、図４（ｃ）に示すように、剥離フィルム層１１２を反転させて引き抜きながら、粘着層１１３の残りの部分を表示領域２に貼り合せる。
【００３８】
このようにして、剥離フィルム層１１２の残りの部分を付着部材１１４とともに剥離し、粘着層１１３の残りの部分を露出させて表示領域２に貼り合せることにより、粘着層１１３全体を表示領域２に貼り合せる。このとき、剥離フィルム層１１２を剥離する作業と同時に付着部材１１４を除去することができる。したがって、簡単な作業で、ディスプレイ１の表示領域２に対して正確かつ円滑に保護フィルム１０１を貼り合せることができる。
【００３９】
本実施形態では、突出部１１５をディスプレイ１に当接させた状態で、基材フィルム層１１１をディスプレイ１側に押圧することにより、吸着シートからなる付着部材１１４を弾性変形させて、その表面１１４ａをディスプレイ１に吸着させることができる。吸着シートを用いることにより、適度な吸着力で保護フィルム１０１を位置決めすることができるとともに、ディスプレイ１から剥離する際に容易に剥離することができ、ディスプレイ１に粘着剤などが残ることもない。
【００４０】
特に、本実施形態では、付着部材１１４が基材フィルム層１１１の短手方向Ｌ２に対して平行に延びるように設けられているため、付着部材１１４の表面１１４ａがディスプレイ１に付着した状態では、一般的に生じやすい短手方向Ｌ２への保護フィルム１０１のずれを効果的に防止することができる。したがって、ディスプレイ１の表示領域２に対してより正確に保護フィルム１０１を貼り合せることができる。
【００４１】
ただし、保護フィルム１０１を位置決めした後、剥離フィルム層１１２の一部１１２ｃを剥離して、露出した粘着層１１３を表示領域２に貼り合せるような態様ではなく、剥離フィルム層１１２の一部１１２ｃを予め剥離した後に保護フィルム１０１を位置合わせしてもよい。この場合は、露出した粘着層１１３の一部をディスプレイ１の表示領域２から離した状態で、保護フィルム１０１を移動させることにより位置合わせを行う。
【００４２】
また、ディスプレイ１の表示領域２に付着部材１１４の表面１１４ａを付着させるような構成に限らず、ディスプレイ１における表示領域２以外の表面に付着部材１１４の表面１１４ａを付着させるような構成であってもよい。この場合、付着部材１１４は、基材フィルム層１１１及び粘着層１１３に対向しない領域において剥離フィルム層１１２上に固定されていてもよい。
【００４３】
さらに、剥離フィルム層１１２は、切込み１１６が１つだけ形成された構成に限らず、複数設けられた構成であってもよい。この場合、例えば互いに平行に延びる１対の切込み１１６が、それぞれ剥離フィルム層１１２の一端縁１１２ａから他端縁１１２ｂまで一直線上に延びるように形成されることにより、剥離フィルム層１１２が３分割されているような構成であってもよい。このように、切込み１１６の数及び位置は、任意に設定することができる。
【００４４】
また、剥離フィルム層１１２に切込み１１６を形成せず、剥離フィルム層１１２を切り裂いて部分的に剥離するような構成であってもよい。この場合、剥離フィルム層１１２は、容易に切り裂くことができるような材料で形成されていることが好ましく、例えばポリプロピレンを原料とする二軸延伸フィルムにより形成することができる。
【００４５】
図５は、突出部１１５の変形例について説明するための平面図である。上記実施形態では、付着部材１１４の１対の長辺に沿って突出部１１５が設けられた構成について説明したが、このような構成に限らず、他の任意の態様で突出部１１５を設けることができる。このとき、突出部１１５は、付着部材１１４上に設けられた構成に限らず、付着部材１１４とは分離して剥離フィルム層１１２上に設けられた構成であってもよい。
【００４６】
例えば図５（ａ）の例では、付着部材１１４の短辺に対して平行に延びる突出部１１５が、互いに間隔を隔てて付着部材１１４上に複数設けられている。これにより、各突出部１１５間に付着部材１１４の表面が露出しており、当該表面をディスプレイ１に付着させることができる。このように、付着部材１１４上に設けられる突出部１１５の数、形状及び位置は任意に設定することができる。
【００４７】
また、図５（ｂ）の例では、突出部１１５が付着部材１１４とは分離して剥離フィルム層１１２上に設けられている。具体的には、付着部材１１４が、基材フィルム層１１１の長手方向Ｌ１の一端部に対応する位置に、基材フィルム層１１１の短手方向Ｌ２に対して平行に延びている。突出部１１５は、基材フィルム層１１１の短手方向Ｌ２における付着部材１１４の両端側に、それぞれ付着部材１１４と間隔を隔てた位置で剥離フィルム層１１２上に固定されている。
【００４８】
これにより、付着部材１１４と２つの突出部１１５とが、基材フィルム層１１１の短手方向Ｌ２に沿って一直線上に配列されている。ただし、剥離フィルム層１１２上に設けられる突出部１１５の数、形状及び位置は任意に設定することができる。また、突出部１１５を剥離フィルム層１１２と一体的に形成することも可能である。
【００４９】
付着部材１１４及び突出部１１５は、例えば打ち抜き加工により形成することができる。すなわち、剥離フィルム層１１２上に別のフィルム層を接着した後、そのフィルム層における付着部材１１４及び突出部１１５を形成しようとする部分以外の部分を打ち抜いて除去することにより、残った部分に付着部材１１４及び突出部１１５を形成することができる。この場合、１回の打ち抜き加工で付着部材１１４及び突出部１１５を同時に形成してもよいし、付着部材１１４及び突出部１１５をそれぞれ別の工程で形成してもよい。
【００５０】
上記実施形態では、付着部材１１４がウレタンフォームにより形成された構成について説明したが、このような構成に限らず、例えばアクリルやシリコンなどの他の材料を用いて形成された吸着シートにより付着部材１１４が構成されていてもよい。また、吸着シートではなく、例えば粘着シートにより付着部材１１４を構成することも可能である。この場合、ディスプレイ１に付着部材１１４を付着させた後、剥離させる際に粘着剤がディスプレイ１上に残らないように、再剥離性のある弱粘着タイプの粘着シートを用いることが好ましい。
【００５１】
また、上記実施形態では、基材フィルム層１１１をディスプレイ１側に押圧することにより、付着部材１１４が弾性変形するような構成について説明した。しかし、このような構成に限らず、付着部材１１４は弾性変形せずに、突出部１１５が弾性変形することにより、付着部材１１４の表面１１４ａがディスプレイ１に接触して付着するような構成であってもよい。あるいは、付着部材１１４及び突出部１１５がいずれも弾性変形せず、基材フィルム層１１１をディスプレイ１側に押圧することにより、基材フィルム層１１１自体を撓ませて、付着部材１１４の表面１１４ａをディスプレイ１に付着させてもよい。
【符号の説明】
【００５２】
１    ディスプレイ
２    表示領域
１０１    保護フィルム
１１１    基材フィルム層
１１２    剥離フィルム層
１１２ａ  一端縁
１１２ｂ  他端縁
１１３    粘着層
１１４    付着部材
１１４ａ  表面
１１５    突出部
１１５ａ  表面
１１６    切込み
【図１】
2015203090.tif 000003
【図２】
2015203090.tif 000004
【図３】
2015203090.tif 000005
【図４】
2015203090.tif 000006
【図５】
2015203090.tif 000007